(57)【要約】【課題】洗濯に関する家事の負担が軽減される建築物を提供する。【解決手段】建築物１００は洗濯に関する作業を実施する作業室３０と、作業室３０と繋がる洗面室４０および収納スペース５０とを備え、洗面室４０、作業室３０、および、収納スペース５０は動線が実質的に直線となるように構成される。【選択図】図１
2020105699.tif 000002
【特許請求の範囲】
【請求項１】
洗濯に関する作業を実施する作業室と、
前記作業室と繋がる洗面室および収納スペースとを備え、
前記洗面室、前記作業室、および、前記収納スペースは動線が実質的に直線となるように構成される
建築物。
【請求項２】
前記洗面室および前記収納スペースは前記作業室に隣接される
請求項１に記載の建築物。
【請求項３】
前記収納スペースはウォークスルークローゼットであり、
前記ウォークスルークローゼットと繋がる居室をさらに備える
請求項１または２に記載の建築物。
【請求項４】
前記居室と繋がる物干しスペースをさらに備え、
前記作業室、前記ウォークスルークローゼット、前記居室、および、前記物干しスペースは動線が実質的に直線となるように構成される
請求項３に記載の建築物。
【請求項５】
前記洗面室と繋がる浴室をさらに備え、
前記浴室、前記洗面室、前記作業室、および、前記収納スペースは動線が実質的に直線となるように構成される
請求項１〜４のいずれか一項に記載の建築物。
【発明の詳細な説明】
【技術分野】
【０００１】
本発明は建築物に関する。
【背景技術】
【０００２】
洗濯に関する家事の負担が軽減されるように構成される建築物が知られている。例えば、特許文献１は洗濯室(１６)、洗濯室(１６)の隣りに設けられる乾燥部屋(３１)、および、乾燥部屋(３１)と繋がり、乾燥部屋(３１)で乾燥された衣類を仮置きする仮置き部屋(３２)を備える建築物を開示している。仮置き部屋(３２)では、洗濯された衣類が居住者ごとに分類されて仮置きされる。
【先行技術文献】
【特許文献】
【０００３】
【特許文献１】特開２０１７−６６６２９号公報
【発明の概要】
【発明が解決しようとする課題】
【０００４】
上記建築物では、仮置き部屋(３２)に仮置きされている衣類は、居住者によって別の階に設けられる衣服収納部(２２ａ)に運ばれる。このため、洗濯に関する家事の負担を軽減する点について、なお改善の余地がある。
【課題を解決するための手段】
【０００５】
(１)本発明に関する建築物は洗濯に関する作業を実施する作業室と、前記作業室と繋がる洗面室および収納スペースとを備え、前記洗面室、前記作業室、および、前記収納スペースは動線が実質的に直線となるように構成される。
上記建築物によれば、作業室、洗面室、および、収納スペースの動線が短いため、これらの室およびスペースの移動をスムーズに行なえる。洗面室で衣類を脱ぐ作業、作業室で衣類を洗濯する作業、および、洗濯された衣類を収納スペースに収納する作業を効率的に実施できるため、洗濯に関する家事の負担が軽減される。
【０００６】
(２)好ましい例では(１)に記載の建築物において、前記洗面室および前記収納スペースは前記作業室に隣接される。
上記建築物によれば、洗面室と収納スペースとの間に作業室が設けられるため、洗面室で衣類を脱ぐ作業、作業室で衣類を洗濯する作業、および、洗濯された衣類を収納スペースに収納する作業を一層効率的に実施できる。このため、洗濯に関する家事の負担が一層軽減される。
【０００７】
(３)好ましい例では(１)または(２)に記載の建築物において、前記収納スペースはウォークスルークローゼットであり、前記ウォークスルークローゼットと繋がる居室をさらに備える。
上記建築物によれば、ウォークスルークローゼットおよび居室の動線が短いため、ウォークスルークローゼットに衣類を収納した後、または、ウォークスルークローゼットから衣類を取り出した後に、ウォークスルークローゼットを通過して居室に容易に移動できる。このため、居室での着替えを効率的に実施できる。
【０００８】
(４)好ましい例では(３)に記載の建築物において、前記居室と繋がる物干しスペースをさらに備え、前記作業室、前記ウォークスルークローゼット、前記居室、および、前記物干しスペースは動線が実質的に直線となるように構成される。
上記建築物によれば、作業室、ウォークスルークローゼット、居室、および、物干しスペースの動線が短いため、これらの室およびスペースの移動をスムーズに行なえる。作業室で洗濯された衣類を物干しスペースに運ぶ作業、および、物干しスペースで干された衣類をウォークスルークローゼットに運ぶ作業を効率的に実施できるため、洗濯に関する家事の負担が一層軽減される。
【０００９】
(５)好ましい例では(１)〜(４)のいずれか一項に記載の建築物において、前記洗面室と繋がる浴室をさらに備え、前記浴室、前記洗面室、前記作業室、および、前記収納スペースは動線が実質的に直線となるように構成される。
上記建築物によれば、浴室、洗面室、作業室、および、収納スペースの動線が短いため、これらの室およびスペースの移動をスムーズに行なえる。入浴のために洗面室で脱いだ衣類の洗濯に関する作業を効率的に実施できるため、洗濯に関する家事の負担が一層軽減される。
【発明の効果】
【００１０】
本発明に関する建築物によれば、洗濯に関する家事の負担が軽減される。
【図面の簡単な説明】
【００１１】
【図１】実施形態の建築物の２階の平面図。
【図２】図１の作業室の室内を示す図。
【図３】図１の洗面室の室内を示す図。
【図４】図１の収納スペースの内部を示す図。
【図５】図１の第３出入口およびその周辺を示す図。
【図６】図１の居室の室内を示す図。
【発明を実施するための形態】
【００１２】
(実施形態)
図１を参照して、建築物１００の一例について説明する。建築物１００の一例は個別住宅または集合住宅である。図１等に示される例では、建築物１００は複数の階を含む個別住宅である。図１は個別住宅の２階の室内構造１０を示す平面図である。建築物１００の外壁１１０によって囲まれる領域１００Ａは複数の壁１２０によって区画される。領域１００Ａのうち複数の壁１２０により区画された箇所には、室内構造１０を構成する主な要素である複数の室２０が形成される。
【００１３】
室２０の数および配置は任意に選択可能である。室２０は例えば、キッチン２１、リビング２２、パントリー２３、リビングクローゼット２４、トイレ２５、ホール２６、趣味室２７、ラウンジ２８、第１子供部屋２９Ａ、および、第２子供部屋２９Ｂを含む。
【００１４】
室２０はさらに、作業室３０、洗面室４０、収納スペース５０、居室６０、物干しスペース７０、および、浴室８０を含む。建築物１００の室内構造１０では、洗濯に関する家事の負担が軽減されるように、作業室３０、洗面室４０、収納スペース５０、居室６０、物干しスペース７０、および、浴室８０は動線が実質的に直線となるように配置される。以下において、動線が実質的に直線とは、動線が直線である場合、ならびに、作業室３０、洗面室４０、収納スペース５０、居室６０、および、物干しスペース７０、浴室８０の移動をスムーズに行なえる程度に動線が略直線である場合を含む。作業室３０、洗面室４０、収納スペース５０、および、浴室８０は建築物１００の室内構造１０のうちの最も北側に配置される。
【００１５】
作業室３０は主に洗濯に関する作業を実施するために利用される。洗濯に関する作業は衣類を洗濯する作業、および、洗濯された衣類のアイロンがけの作業が含まれる。図２に示されるように、作業室３０には、洗濯に関する作業を実施するための洗濯機３１、ならびに、アイロンがけの作業を実施するためのアイロン３２およびアイロン台３３が設置される。
【００１６】
図３に示される洗面室４０は主に浴室８０を利用する居住者が衣類を脱ぐため、入浴が終了した居住者が衣類を着るため、および、洗顔のために利用される。洗面室４０は作業室３０と浴室８０との間に設けられる。洗面室４０は作業室３０に隣接される。別の例では、洗面室４０と作業室３０との間に室または通路が設けられる。洗面室４０と作業室３０とは第１出入口９１(図２参照)を介して繋がる。第１出入口９１の開口９１Ａには、例えば引戸等の建具(図示略)が設置される。一例では、洗面室４０には、洗面台４１、蛇口４２、および、鏡４３が設置される。洗面室４０と作業室３０とが個別に設けられるため、洗面室４０および作業室３０の利用スペースを広く確保できる。このため、洗面室４０を利用する居住者、および、作業室３０を利用する別の居住者が存在する場合であっても、洗面室４０および作業室３０でそれぞれの作業を実施しやすい。また、別の居住者が浴室８０を利用している場合であっても、作業室３０で洗濯に関する作業を容易に実施できる。
【００１７】
図４に示される収納スペース５０は主に衣類を収納するために利用される。収納スペース５０は作業室３０に隣接される。別の例では、収納スペース５０と作業室３０との間に室または通路が設けられる。収納スペース５０の形態は任意に選択可能である。一例では、収納スペース５０はウォークインクローゼットである。ウォークインクローゼットの一例はウォークスルークローゼットである。図１等に示される例では、収納スペース５０はウォークスルークローゼットである。以下では、収納スペース５０をウォークスルークローゼット５０という場合がある。収納スペース５０には、畳まれた衣類が収納される収納ボックス５１が載せられる１または複数の棚５２、および、ハンガー５３にかけられた衣類を吊るすための１または複数のポール５４が設けられる。収納スペース５０の一方の端５０Ａは第２出入口９２を介して作業室３０と繋がる。このため、ウォークスルークローゼット５０に衣類を収納した後、または、ウォークスルークローゼット５０から衣類を取り出した後に、ウォークスルークローゼット５０を通過して作業室３０に容易に移動できる。第２出入口９２の開口９２Ａには、例えば引戸等の建具(図示略)が設置される。収納スペース５０の他方の端５０Ｂ(図５参照)は第３出入口９３を介して居室６０と繋がる。このため、ウォークスルークローゼット５０に衣類を収納した後、または、ウォークスルークローゼット５０から衣類を取り出した後に、ウォークスルークローゼット５０を通過して居室６０に容易に移動できる。また、ウォークスルークローゼット５０および居室６０の動線が短いため、ウォークスルークローゼット５０から洗濯された衣類を取り出した後、居室６０での着替えを効率的に実施できる。第３出入口９３の開口９３Ａには、例えば引戸等の建具(図示略)が設置される。
【００１８】
図６に示される居室６０は主に居住者がくつろぐために利用される。居室６０は例えば、寝室、リビング、および、ダイニングである。図５等に示される例では、居室６０は寝室である。居室６０には、例えば、１または複数のベッド６１が配置される。図１に示されるように、居室６０は第４出入口９４を介して別の室または廊下と繋がる。図１等に示される例では、居室６０は第４出入口９４を介して通路９５と繋がる。通路９５はリビング２２まで延びている。このため、居住者は作業室３０、洗面室４０、収納スペース５０、居室６０、通路９５、リビング２２、および、キッチン２１を回動するように移動できる。
【００１９】
図６に示される物干しスペース７０は主に作業室３０(図２参照)で選択された衣類を干すために利用される。物干しスペース７０の形態は任意に選択可能である。一例では、物干しスペース７０はバルコニー、ベランダ、テラス、ピロティ、および、庭である。図６等に示される例では、物干しスペース７０はバルコニーである。物干しスペース７０は建具７１を介して居室６０と繋がる。建具７１は例えば、可動式の窓である。
【００２０】
図１に示される浴室８０は居住者が入浴するために利用される。浴室８０は洗面室４０の隣りに設けられる。浴室８０は建具８１(図３参照)を介して洗面室４０と繋がる。建具８１の一例は片開き式のドアである。
【００２１】
図１を参照して、建築物１００の使用方法の一例について説明する。
例えば、居室６０に滞在する居住者が入浴する場合、第３出入口９３を通過して収納スペース５０に移動し、洗濯された衣類(以下「洗濯完了衣類」という)を取り出す。居住者は収納スペース５０および第２出入口９２を通過して作業室３０に移動し、第１出入口９１を通過して洗面室４０に移動する。居住者は洗面室４０で洗濯完了衣類を洗面室４０の任意の場所に置く。次に、居住者は身に着けている衣類(以下「洗濯対象衣類」という)を脱ぎ、浴室８０に移動して入浴する。入浴が完了した居住者は洗面室４０に置かれている洗濯完了衣類を身につけ、洗濯対象衣類を手に取り、第１出入口９１を通過して作業室３０に移動する。居住者は作業室３０で洗濯機３１を利用して、洗濯対象衣類を洗濯する。洗濯対象衣類の洗濯が終了した場合、居住者は洗濯が終了した衣類(以下「洗濯終了衣類」という)を洗濯機３１から取り出し、第２出入口９２、収納スペース５０、第３出入口９３、および、居室６０の順に通過して、物干しスペース７０に移動する。居住者は物干しスペース７０で洗濯終了衣類を干す。物干しスペース７０で干されている洗濯終了衣類が乾いた場合、居住者は物干しスペース７０で干されている洗濯終了衣類を取り込み、居室６０、第３出入口９３、収納スペース５０、および、第２出入口９２の順に通過して作業室３０に移動する。居住者は作業室３０でアイロン３２およびアイロン台３３を利用して洗濯終了衣類のアイロンがけを実施する。洗濯終了衣類のアイロンがけが終了した場合、居住者は第２出入口９２を通過して収納スペース５０に移動し、洗濯終了衣類を収納する。洗濯終了衣類のアイロンがけが不要である場合、居住者は物干しスペース７０で干されている洗濯終了衣類をハンガー５３にかけられた状態で取り込み、居室６０を通過して収納スペース５０に移動し、ハンガー５３にかけられた状態の洗濯終了衣類をポール５４に吊るす。以上のように、本実施形態では、洗濯に関する家事動線が実質的に直線であるため、洗濯に関する家事の負担が低減される。
【００２２】
建築物１００によれば、次のような作用および効果が得られる。
実施形態の建築物１００によれば、作業室３０、洗面室４０、および、収納スペース５０の動線が短いため、作業室３０、洗面室４０、および、収納スペース５０の移動をスムーズに行なえる。洗面室４０で衣類を脱ぐ作業、作業室３０で衣類を洗濯する作業、および、洗濯された衣類を収納スペース５０に収納する作業を効率的に実施できるため、洗濯に関する家事の負担が軽減される。
【００２３】
作業室３０、ウォークスルークローゼット５０、居室６０、および、物干しスペース７０は動線が実質的に直線となるように構成されるため、作業室３０、ウォークスルークローゼット５０、居室６０、および、物干しスペース７０の動線が短い。このため、作業室３０、ウォークスルークローゼット５０、居室６０、および、物干しスペース７０の移動をスムーズに行なえる。洗濯終了衣類を物干しスペース７０に運ぶ作業、および、物干しスペース７０で干された衣類をウォークスルークローゼット５０に運ぶ作業を効率的に実施できる。このため、洗濯に関する家事の負担が一層軽減される。
【００２４】
浴室８０、洗面室４０、作業室３０、および、収納スペース５０は動線が実質的に直線となるように構成されるため、浴室８０、洗面室４０、作業室３０、および、収納スペース５０の動線が短い。このため、浴室８０、洗面室４０、作業室３０、および、収納スペース５０の移動をスムーズに行なえる。洗濯対象衣類の洗濯に関する作業を効率的に実施できるため、洗濯に関する家事の負担が一層軽減される。
【００２５】
(変形例)
上記実施形態は本発明に関する建築物が取り得る形態の例示であり、その形態を制限することを意図していない。本発明に関する建築物は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２６】
・作業室３０、洗面室４０、および、収納スペース５０の配置は動線が実質的に直線になる態様において任意に変更可能である。第１例では、作業室３０および収納スペース５０は洗面室４０に隣接される。第２例では、洗面室４０および作業室３０は収納スペース５０に隣接される。
【００２７】
・建築物１００の構成は任意に変更可能である。第１例では、居室６０、物干しスペース７０、および、浴室８０の少なくとも１つは１階または３階以上の別の階に設けられる。第２例では、居室６０は作業室３０および洗面室４０の少なくとも一方と繋がるように配置される。
【符号の説明】
【００２８】
１０  ：室内構造
３０  ：作業室
４０  ：洗面室
５０  ：収納スペース(ウォークスルークローゼット)
６０  ：居室
７０  ：物干しスペース
８０  ：浴室
１００：建築物
【図１】
2020105699.tif 000003
【図２】
2020105699.tif 000004
【図３】
2020105699.tif 000005
【図４】
2020105699.tif 000006
【図５】
2020105699.tif 000007
【図６】
2020105699.tif 000008